(57)【要約】【課題】容器本体は共用としながら、その外面を各種のスポーツ競技観戦用として簡単に形成でき、かつ、ストローも使い勝手の良いものとする。【解決手段】球殻状もしくは半球殻状で、飲口用筒部を突出している樹脂製の容器本体と、上記飲口用筒部に開口に嵌め込む中栓と、上記中栓の中央に穿設しているストロー挿通穴に貫通させて上記容器本体内に垂下させる取替自在なストローと、上記中栓及び該中栓より外方に突出している上記ストローを上方から覆うように上記容器本体の飲口用筒部を開閉するキャップとを備えた水筒であり、かつ、上記球殻状の容器本体の外周面全体あるいは半球殻状の球状外周面に、球技用ボールの模様を印刷したフィルムを張り付けている。【選択図】  図２
2005000456.tif 000002
【特許請求の範囲】
【請求項１】
球殻状もしくは半球殻状で、飲口用筒部を突出している樹脂製の容器本体と、
上記飲口用筒部の開口に嵌め込む中栓と、
上記中栓の中央に穿設しているストロー挿通穴に貫通させて上記容器本体内に垂下させる取替自在なストローと、
上記中栓及び該中栓より外方に突出している上記ストローを上方から覆うように上記容器本体の飲口用筒部を開閉するキャップとを備え、
かつ、上記球殻状の容器本体の外周面全体あるいは半球殻状の球状外周面に、球技用ボールの模様を印刷したフィルムを張り付けていることを特徴とする水筒。
【請求項２】
上記フィルムに印刷する球技用ボールは、サッカーボール、野球ボール、テニスボール、ゴルフボール、バレーボール、ラグビーボール、バスケットボール等からなる請求項１に記載の水筒。
【請求項３】
上記容器本体に平坦な底面を設けている請求項１または請求項２に記載の水筒。
【請求項４】
上記キャップは略球状外面を呈すると共に内部に下面開口のネジ穴を設けている一方、上記飲口用筒部の外周面にネジを刻設して、キャップを飲口用筒部にネジで開閉している請求項１乃至請求項３のいずれか１項に記載の水筒。
【請求項５】
上記キャップは半球殻状の蓋部と固定部とからなり、蓋部と固定部とはヒンジを介して一体とし、上記蓋部には下向きの開口を設ける一方、上記固定部には貫通穴を穿設し、かつ、上記蓋部と固定部との間に開閉自在な係止部を設け、かつ、上記固定部を上記飲口用筒部に外嵌してネジ締め固着している請求項１乃至請求項４のいずれか１項に記載の水筒。
【請求項６】
肩掛け用ストラップの両端止め部を備えたＣ形状の肩紐取付具を設け、上記飲口用筒部の外周よりフランジ部を突設し、該フランジ部の下面側の上記飲口用筒部に上記肩紐取付具を着脱自在に取り付けている請求項１乃至請求項５のいずれか１項に記載の水筒。
【請求項７】
上記容器本体の飲口用筒部を除く部分は断熱用空間をあけた二重構造としている請求項１乃至請求項６のいずれか１項に記載の水筒。
【請求項８】
上記断熱空間に断熱材を充填している請求項７に記載の水筒。
【請求項９】
球技用ボールの外観を呈したカバーを設け、該カバーを樹脂あるいは厚布等で形成している請求項１乃至請求項８のいずれか１項に記載の水筒。
【発明の詳細な説明】
【０００１】
【発明の属する技術分野】
本発明は水筒に関し、特に、スポーツ観戦時に持っていくのに適したものである。
【０００２】
【従来の技術】
従来から種々の水筒が提案されており、水筒の外面に模様を施す場合は、容器本体に模様を付している。
また、ストロー付きとして飲みやすくしている水筒も登録実用新案第３０３１２３２号や登録実用新案第３０３５０５７号で提案されている。
【０００３】
【特許文献１】
登録実用新案第３０３１２３２号公報
【０００４】
【特許文献２】
登録実用新案第３０３５０５７号公報
【０００５】
【発明が解決しようとする課題】
水筒に模様を付す場合は、容器本体に模様を付しているため、容器本体を共用としながら、簡単に模様を変えることはできない。
【０００６】
また、前記ストロー付きの水筒は、ストローを手で挿入したり、取り外したしなけばならない問題があったり、ストローが容器本体内に折り曲げ状態で収容されてストローが出てきにくい等の問題がある。
【０００７】
本発明は、容器本体は共用としながら、その外面を各種のスポーツ競技観戦用として簡単に形成でき、かつ、ストローも使い勝手の良いものとすることを課題としている。
【０００８】
【課題を解決する手段】
上記課題を解決するため、本発明は、球殻状もしくは半球殻形状で、飲口用筒部を突出している樹脂製の容器本体と、
上記飲口用筒部の開口に嵌め込む中栓と、
上記中栓の中央に穿設しているストロー挿通穴に貫通させて上記容器本体内に垂下させる取替自在なストローと、
上記中栓及び該中栓より外方に突出している上記ストローを上方から覆うように上記容器本体の飲口用筒部を開閉するキャップとを備え、かつ、上記球殻状の容器本体の外周面全体あるいは半球殻状の球状外周面に、球技用ボールの模様を印刷したフィルムを張り付けていることを特徴とする水筒を提供している。
【０００９】
上記構成の水筒では、水筒内の飲料を飲む際に、キャップを容器本体から取り外すと、ストローの先端が容器本体から突出しているため、飲口から直接に飲まずに、ストローを通して飲料を飲むことができる。また、キャップを閉じると、ストローが容器本体内に下降した状態で収容できる。
ストローを変えることにより、他の人が飲む場合にも抵抗感がなくなる。
また、上記ストローは取り替え自在としているため、水筒を持って出掛ける時に新しいストローと取り替えることができる。
【００１０】
また、容器本体の外面に、サッカーボール、野球ボール、テニスボール、ゴルフボール、バレーボール、ラグビーボール、バスケットボール等の球技用ボールの模様を印刷したフィルムを張り付けている。
このように、サッカーボール等の球技用のフィルムを張ると、水筒自体が大きなボールの外観を呈することができる。また、フィルムを張るだけであるため、容器本体は共用で種々のボール状とすることができ、それぞれのボールの模様に凹凸を設けた容器本体を作成する必要はなくなる。
特に、半球殻状の場合、球状面を外側とし、平坦面を身体側の内側とすると、ボールの外観を呈しながら、身体に沿いやすいものとなり、持ち運ぶ上で邪魔にならない。
上記球殻状あるいは半球殻状とする容器本体の底面に平坦面を設けると、自立させることができ、利用し易くなる。
【００１１】
上記キャップは略球状外面を呈すると共に内部に下面開口のネジ穴を設けている一方、上記飲口用筒部の外周面にネジを刻設して、キャップを飲口用筒部にネジで開閉している。
このようにキャップの外面も球状とすると、容器本体とデザインとの調和をとることができる。
【００１２】
なお、上記キャップは半球殻状の蓋部と固定部とからなり、蓋部と固定部とはヒンジを介して一体とし、上記蓋部には下向きの開口を設ける一方、上記固定部には貫通穴を穿設し、かつ、上記蓋部と固定部との間に開閉自在な係止部を設け、かつ、上記固定部を上記飲口用筒部に外嵌してネジ締め固着してもよい。
本発明の水筒では、飲口から直接に飲むのではなく、ストローを介して飲むために、キャップを開けた状態で容器本体と連結させておいても邪魔にならず、かつ、キャップが容器本体から取り外されないため、キャップを紛失することがない。
【００１３】
また、肩掛け用ストラップの両端止め部を備えたＣ形状の肩紐取付具を設け、上記飲口用筒部の外周よりフランジ部を突設し、該フランジ部の下面側の上記飲口用筒部に上記肩紐取付具を着脱自在に取り付けている。
なお、上記肩紐取り付け具に替えて上記飲口用筒部の外周の両側位置、あるいは飲口用筒部を挟む容器本体の両側に、肩紐取付部を突設してもよい。
【００１４】
さらに、容器本体の飲口用筒部を除く部分は断熱用空間をあけた二重構造としてもよいし、その場合には、上記断熱用空間に断熱材を充填してもよい。
このように、断熱機構を設けると、寒い時に球技を観戦する際、暖かい飲料を水筒内に入れると、該飲料を暖かく保存しておくことができる。
【００１５】
上記断熱構造とする代わりに、球技用ボールの外観を呈したカバーを設け、該カバーを樹脂あるいは厚布等で形成し、該カバーを被せることで保温を図ってもよい。カバーは２分割して両側から被せ、カバー同士の分割端に設けた結合手段で結合させることが好ましい。
【００１６】
上記水筒はブロー成形することが好ましいが、射出成形でもよい。
【００１７】
【発明の実施の形態】
以下、本発明の実施の形態を図面を参照して説明する。
図１乃至図９は、本発明の第１実施形態に係る水筒２０を示す。
水筒２０は樹脂製のブロー成形品からなる容器本体２１から突出する飲口用筒部２３の上端開口２４に、ストロー３０を通した中栓３１を嵌め込み、中栓３１及びストロー３０を上方から覆うようにキャップ４０を容器本体２１に取り付けるものである。
飲口用筒部２３の下部２３ａには、ストラップ３２を取り付けた肩紐取付具３３を外嵌している。
【００１８】
上記容器本体２１は球殻状であり、底面２２を平坦面とし、該底面２２と対向する側の球面上から飲口用筒部２３を突出させている。飲口用筒部２３の上部にはキャップ４０をネジ止めするネジ２３ｂを刻設し、略中間部からは下部２３ａに取り付けた肩紐取付具の縦ズレを防止するフランジ２３ｃが突出している。
【００１９】
上記中栓３１はゴム、弾性樹脂あるいはコルクからなる略円柱状で、下部に向けて若干小径となるテーパをかけている。該中栓３１を容器本体２１に取り付けると、中栓３１の下部が飲口用筒部２３に内嵌され、上部が飲口用筒部２３の上端２３ｄの周縁上に載置される。また、中栓３１の中央にはストロー３０を通すためのストロー挿通穴を穿設し、ストロー３０を取り替え可能としている。
【００２０】
上記キャップ４０には、図３に示すように、下向きの開口を設け、該開口は大径開口部４０ａと小径開口部４０ｂとからなる。大径開口部４０ａの側壁４０ｃには容器本体２１の飲口用筒部２３にネジ止めするネジを刻設している。キャップ４０を飲口用筒部２３にネジ止めした状態で、大径開口部４０ａ内に飲口用筒部２３及び中栓３１を収容する一方、小径開口部４０ｂ内にストロー３０を収容している。
【００２１】
上記肩紐取付具３３は、一端が開口したＣ形状であり、飲口用筒部２３の下部２３ａに外嵌固定する形状としている。また、肩紐取付具３３の両側部からは、肩掛け用ストラップ３２を挿通し取り付けるための両端止め部３３ａが突出している。肩紐取付具３３は取り外し自在であるため必要なときのみ取り付けることができる。
【００２２】
上記容器本体２１には、底面と飲口部分を除く外周面に、サッカーボールの模様を印刷したフィルムＦを加熱して張り付けている。
【００２３】
上記構成とすることにより、水筒２０内の飲料を飲む際に、キャップ４０を容器本体２１から取り外すと、ストロー３０の先端が容器本体２１から突出しており、ストロー３０に手を触れることなく容易に飲料を飲むことができる。また、飲み終わった後にキャップ４０を取り付けると、キャップ４０内に設けられたストロー収容部にストロー３０を収容される。
このように、ストロー３０に直接手が触れることなく、ストロー３０を用いて容器本体内の飲料を飲むことが出来ると共に、キャップを閉じると、水筒内に保存しておくことができる。
【００２４】
また、サッカーボールの模様を付した球状としているため、水筒自体がサッカーボール形状となり、サッカー競技観戦用として好ましい水筒となる。
【００２５】
図１０乃至図１６は、本発明の第２実施形態に係る水筒２０’を示す。
第２実施形態では、容器本体２１’は半球殻形状としている点と、キャップ４０’の形状を第１実施形態と相違させている。
【００２６】
半殻状体の容器本体２１’は、底面２２’及び一側面２５を平坦面とし、他側面２６を球状とし、上端より飲口用筒部２３’を突出している。該飲口用筒部２３’の上部にはキャップ４０’をネジ止めするネジ２３ｂ’を刻設している。
上記中栓３１’は上記第１実施形態の中栓３１と同様のものである。
【００２７】
上記キャップ４０’は図１０に示すように、半球殻状の蓋部４１と固定部４２とからなり、蓋部４１と固定部４２とはヒンジ４３を介して一体としている。上記蓋部４１の略中心部にはストロー３０’の先端を収容する下向きの開口４１ａを設ける一方、上記固定部４２の略中心部には連通する大径の貫通穴４２ａと小径の貫通穴４２ｂを穿設している。大径の貫通穴４２ａの内周壁にはネジ４２ａ−１を刻設しており、飲口用筒部２３’にネジ止めしている。また、小径の貫通穴４２ｂには中栓３１’から突出するストロー３０’を挿通している。また、上記固定部４２の上側面には円周形状の係止爪４２ｃを突設する一方、上記蓋部４１の下側面には円周形状の被係止溝４１ｂを穿設し、蓋部４１の閉鎖時に係止爪４２ｃが被係止溝４１ｂに挿入係止され、蓋部４１が固定部４２に係止される。
肩紐取付具は第１実施形態と同様であるため、説明および図示を省略する。
【００２８】
また、容器本体２１’にはフィルムＦ’を加熱により張り付けているが、フィルムＦ’は平坦面の側面２５には模様を印刷せず、球状の側面２６にサッカーボールを印刷している。
【００２９】
上記水筒２０’では、キャップ４０’を容器本体２１’より取り外すことなく開いて飲料を飲むことができ、キャップ４０’を紛失することはない。
また、キャップ２０’はワンタッチで開閉できるため、使い勝手がよくなる。さらに、容器本体２１’は半球殻状としているため、水筒２０の使用状態で平坦面を内側として身体に沿わせることができる一方、サッカーボールの模様を付した側を外面側として、水筒２０’をサッカーボール状の外観を呈することができる。
【００３０】
図１７乃至図２０は第２実施形態の変形例を示す。
この変形例の水筒２０’’では、肩紐取付部３３’を飲口用筒部２３’の左右両側の容器本体２１’より突設している。
なお、他の構成は第２実施形態と同様のため、同一の符号を付して説明を省略する。
【００３１】
図２１および図２２は本発明の第３実施形態に係る水筒５０を示し、水筒５０は上記第１実施形態の容器本体２１の外面と隙間をあけて覆うように両側から略半球状の樹脂製のカバー６０を取り付けている。また、取り付けるカバー６０と飲口用筒部２３の下部２３ａとの間には、シール性を確保するためのパッキン６１を取り付けており、接着剤等によりカバー６０同士を接合している。
上記カバー６０の外面にはサッカーボールの模様を付したフィルムＦ’を加熱して張り付けている。
【００３２】
上記のように、容器本体２１にカバー６１を取り付けた状態で、図２２に示すように、容器本体２１とカバー６１との間には空間が設けられ、この空間が断熱層６２を形成する。
【００３３】
上記構成とすると、上記第１実施形態と同様の効果を得られると共に、上記断熱層６２により、保温・保冷機能にすぐれた水筒とすることができる。
【００３４】
なお、本実施形態においては、樹脂製のカバーとしているが、テニスボールの外層となるフェルト製のカバーとし、該カバーに縫い目を設け、カバーを被せた状態でテニスボールとなるようにしてもよい。この場合もフェルトにより保温を図ることができる。
【００３５】
図２３は第３実施形態の変形例の水筒５０’を示し、断熱層６２に断熱材６５を充填している。
このように、断熱材６５を充填すると、容器本体内の飲料の保温効果を高めることができる。
【００３６】
図２４乃至図２９は第４実施形態の水筒７０を示し、第１実施形態とフィルムＦに印刷する模様をゴルフボールとしている点が相違する。
他は第１実施形態と同様であるため、説明を省略する。
【００３７】
フィルムに付す模様はゴルフボール、サッカーボール限定されず、図３０（Ａ）に示すテニスボール、（Ｂ）に示す野球のボール、（Ｃ）に示すバスケットボール、（Ｄ）に示すバレーボール等、適宜な球技用ボールの模様をフィルムに印刷してもよい。
【００３８】
【発明の効果】
以上の説明より明らかなように、本発明によれば、水筒内の飲料を飲む際に、キャップを容器本体から取り外すと、ストローの先端が容器本体から突出しており、ストローに手を触れることなく容易に飲料を飲むことができる。また、キャップを容器本体に取り付ける際にも、ストローに手を触れることなくキャップ内に設けられたストロー収容部にストローを収容することができる。
また、上記ストローは取り替え自在としているため、使い勝手がよくなる。
【００３９】
また、容器本体の外面に球技用ボールの模様を印刷したフィルムを加熱して張り付けるだけで、水筒自体をボールの外観を呈するようにでき、球技観戦用に好適なものとなる。特に、容器本体は共用で用いることができるため、ボールの種類が代わる毎に容器本体を成形し直す必要はなく、簡単に多種のボール状の水筒とすることができる。
【００４０】
また、容器本体にカバーを取り付け、簡易な構造により断熱層を設けると、保温・保冷機能にすぐれた水筒とすることができる。
【図面の簡単な説明】
【図１】第１実施形態の水筒を示す分解斜視図である。
【図２】第１実施形態の水筒を示す斜視図である。
【図３】第１実施形態の水筒の断面図である。
【図４】第１実施形態の水筒の正面図である。
【図５】第１実施形態の水筒の背面図である。
【図６】第１実施形態の水筒の左側面図である。
【図７】第１実施形態の水筒の右側面図である。
【図８】第１実施形態の水筒の平面図である。
【図９】第１実施形態の水筒の底面図である。
【図１０】第２実施形態の水筒の断面図である。
【図１１】第２実施形態の水筒の正面図である。
【図１２】第２実施形態の水筒の背面図である。
【図１３】第２実施形態の水筒の左側面図である。
【図１４】第２実施形態の水筒の右側面図である。
【図１５】第２実施形態の水筒の平面図である。
【図１６】第２実施形態の水筒の底面図である。
【図１７】第２実施形態の変形例の正面図である。
【図１８】第２実施形態の変形例の左側面図である。
【図１９】第２実施形態の変形例の右側面図である。
【図２０】第２実施形態の変形例の平面図である。
【図２１】第３実施形態の水筒を示す分解斜視図である。
【図２２】第３実施形態の水筒の断面図である。
【図２３】第３実施形態の変形例の水筒を示す断面図である。
【図２４】第４実施形態の水筒の正面図である。
【図２５】第４実施形態の水筒の背面図である。
【図２６】第４実施形態の水筒の左側面図である。
【図２７】第４実施形態の水筒の右側面図である。
【図２８】第４実施形態の水筒の平面図である。
【図２９】第４実施形態の水筒の底面図である。
【図３０】（Ａ）はテニスボール、（Ｂ）は野球ボール、（Ｃ）はバスケットボール、（Ｄ）はバレーボールの模様のフィルムを貼り付けた水筒を示す正面図である。
【符号の説明】
２０，２０’，２０’’，５０，５０’，７０  水筒
２１，２１’  容器本体
２３，２３’  飲口用筒部
２４，２４’  開口
３０，３０’  ストロー
３１，３１’  中栓
４０，４０’  キャップ
６０  カバー
６１  パッキン
６２  断熱層
６５  断熱材
【図１】
2005000456.tif 000003
【図２】
2005000456.tif 000004
【図３】
2005000456.tif 000005
【図４】
2005000456.tif 000006
【図５】
2005000456.tif 000007
【図６】
2005000456.tif 000008
【図７】
2005000456.tif 000009
【図８】
2005000456.tif 000010
【図９】
2005000456.tif 000011
【図１０】
2005000456.tif 000012
【図１１】
2005000456.tif 000013
【図１２】
2005000456.tif 000014
【図１３】
2005000456.tif 000015
【図１４】
2005000456.tif 000016
【図１５】
2005000456.tif 000017
【図１６】
2005000456.tif 000018
【図１７】
2005000456.tif 000019
【図１８】
2005000456.tif 000020
【図１９】
2005000456.tif 000021
【図２０】
2005000456.tif 000022
【図２１】
2005000456.tif 000023
【図２２】
2005000456.tif 000024
【図２３】
2005000456.tif 000025
【図２４】
2005000456.tif 000026
【図２５】
2005000456.tif 000027
【図２６】
2005000456.tif 000028
【図２７】
2005000456.tif 000029
【図２８】
2005000456.tif 000030
【図２９】
2005000456.tif 000031
【図３０】
2005000456.tif 000032